(57)【特許請求の範囲】
【請求項１】
上面（３ａ）と側面（３ｂ）とを有する視覚障害者誘導用の線状突起において、 前記上面（３ａ）よりも高い上面（４ａ）と、前記側面（３ｂ）よりも外側に張り出ている側面（４ｂ）とを有する突起（４）が設けられている  ことを特徴とする視覚障害者誘導用の線状突起。
【請求項２】
請求項１記載の線状突起が上面に設けられた誘導板。
【発明の詳細な説明】
【技術分野】
【０００１】
本発明は、視覚障害者を誘導する歩行面の線状突起の形状に関する。
【背景技術】
【０００２】
視覚障害者誘導用の線状突起に関して、断面が傾き４５度の台形をした、高さ５ｍｍ、長手方向の長さ２７０ｍｍほどの線状突起を、７５ｍｍ間隔で、４本を、横に並べて、縦横３００ｍｍに収める規格がある（非特許文献１参照）。視覚障害者誘導用の線状突起は、黄色のコンクリートやプラスチックなどの材料でブロックに形成され、長手方向を、誘導方向に向け、列につなげて、歩行面に敷設される。
【０００３】
線状突起の長さは、足裏ほどあるため、踏む感触だけで、その長手方向が分かり、誘導方向を確認できる。突起の形状は、凹凸が多い屋外の歩行面でも、確実な感触を得るために、歩行者（例えば、白杖の使用者）に対する刺激が強くなるような寸法に決められている。
【０００４】
視覚障害者が周囲を探るための白杖には、歩行面に滑らせる使い方がある。歩行面から立ち上がっている線状突起に当たれば、突起の存在を確認できる。さらに、白杖で側面をなでることで、使用者は、線状突起の長手方向を知ることができ、誘導方向を確認できる。
【先行技術文献】
【非特許文献】
【０００５】
【非特許文献１】日本工業規格 JIS T 9251： 2001、視覚障害者誘導用フロック等の突起の形状・寸法及びその配列
【発明の概要】
【発明が解決しようとする課題】
【０００６】
しかし、従来の線状突起の多くは側面が滑らかなので、白杖でなでても感触が薄く、使用者が長手方向を確実に知るには、時間がかかった。
【０００７】
コンクリート製なら、砂などの凹凸があるため、白杖でなでて使用者に対する感触が生じるが、コンクリートは、屋外では普通に存在し、それが、視覚障害者誘導用の線状突起なのか、それとも、壁などの、他の構造物なのか、確信が持てないという不安が残る。
【０００８】
白杖の先には、杖先が取り付けられ、歩行面を滑らせる用途には直径４０ｍｍほどの太い杖先が使われる。しかし、直径１０ｍｍほどの細い杖先で歩行面を滑らせる場合があり、杖先の種類によって、線状突起との当たりが不確かになってしまうという課題もあった。なぜなら、細い杖先は線状突起の側面に当たるが、太い杖先は、もっと上の、側面から上面にかけての角に当たるからである。
【０００９】
本発明は、歩行面とは容易に区別可能になり、白杖の使用者などが、短時間で、視覚障害者誘導用の線状突起だと認識でき、かつ、長手方向が分かり、確信を持って誘導方向を確認できるようにすることを目的とする。
【課題を解決するための手段】
【００１０】  本発明による視覚障害者誘導用の線状突起は、上面（３ａ）と側面（３ｂ）とを有し、上面（３ａ）よりも高い上面（４ａ）と、側面（３ｂ）よりも外側に張り出ている側面（４ｂ）とを有する突起（４）が設けられていることを特徴とする。
【発明の効果】
【００１１】
本発明によれば、線状突起の側面を白杖でなでると、杖先によらず、段差による特徴的な振動が生じて、歩行面とは容易に区別でき、使用者が、短時間で、視覚障害者誘導用の線状突起だと認識できるとともに、長手方向が分かり、確信を持って誘導方向を確認できる。
【図面の簡単な説明】
【００１２】
【図１】第１の実施の形態を示す斜視図である。
【図２】第２の実施の形態を示す斜視図である。
【発明を実施するための形態】
【００１３】
［第１の実施の形態］
図１に示す第１の実施の形態において、例えば道路に敷設される線状突起部２は、縦横３００ｍｍに収まる。線状突起部２は、従来の規格と同じ形状の線状突起３の表面に、細い突起４が、長手方向と垂直に、等間隔に並べられた形状である。図１には、同じ形状の４本の線状突起２ａ〜２ｄが横に並べられて線状突起部２が構成される例が示されている。
【００１４】
突起４は、線状突起３の上面３ａから左右の側面３ｂにかけて設けられている。それぞれの突起４の上面４ａから左右の側面４ｂが形成され、それらとの角４ｃも形成される。
【００１５】
次に、図１を参照して、使用例を説明する。
【００１６】
白杖５には、滑らせる用途の太い杖先５ａがつけられている。杖先５ａを線状突起２ａに当てて、杖先５ａが側面４ｂをなでると、軌跡Ｖとして示されているように、杖先５ａが、突起４を乗り越えてから落下して、断続的に線状突起３に当たり、長さの間隔に応じた時間のリズムで、特徴的な衝撃の振動が発生する。振動の一部は白杖５を伝わり、一部は音になって、使用者に認識される。その結果、使用者は、長手方向が分かり、誘導方向Ｌを確認できる。
【００１７】
太い杖先５ａは、その上面と側面との角４ｃで、突起４に接触していく。細い杖先５ａを使えば、側面４ｂに当たるが、突起４に当たることに変わりなく、同様の特徴的な振動が得られる。
【００１８】
次に、構成の詳細を説明する。図１には、段差を形成するために突起４が設けられた例が示されているが、必ずしも突起４に限られず、溝などの凹凸を構成する段差であればよい。
【００１９】
滑り止めなどの目的で、線状突起３の上面に凹凸を設けることは一般的である。図１には、突起４のみが描かれているが、線状突起３の上面３ａに、別な凹凸を追加してもよい。
【００２０】
次に、形状の詳細を説明する。図１には、長手方向と垂直で等間隔に並んでいる突起４が示されているが、突起４は、周期的に並べられていればよく、排水を妨げない範囲で、斜めに並べられても、特徴的な振動が得られる。
【００２１】  図１では、突起４の上面４ａは、左右につながって描かれているが、中央で分断されていてもよい。突起４の上面４ａと側面４ｂとがなす角４ｃが、確実に形成されていることが重要ある。
【００２２】
突起４の高さが、０.３〜１mmほどであれば、十分な強さの振動が得られる。突起４の幅は、高さ程であればよいが、機械的な強度や磨耗に対応した設定にすればよい。
【００２３】
発生する振動に関して、突起４を設ける間隔と、杖先５ａでなでるスピードとで、周波数やリズムが決まり、突起４の間隔を３〜２０mmにすれば、使用者の耳に聞こえやすく、特徴的な音を発生できる。
【００２４】
突起４が設けられる間隔は、歩行面１の凹凸形状による環境要素、および、歩く速さを伝える意図によって、選ぶことができ、規格に従うのもよい。例えば、凹凸が多い屋外の歩行面１は、広くて、使用者が速く歩いてもよいので、１０〜２０mmほどの広い間隔がよい。凹凸が少ない屋内の歩行面１では、使用者に落ち着いてゆっくり歩いて欲しいので、３〜５mmほどの狭い間隔がよい。
【００２５】
突起４は、歩行面１（使用者が歩行する領域）まで続いていないが、その理由は、白杖５の杖先５ａが当たらないので必要ないため、かつ、境目に汚れなどがたまるのを防ぐためである。もちろん、突起４が歩行面１にまで続いても、本発明の効果を損なうことはない。
【００２６】
突起の側面４ｂは、４５度より急な角度、例えば、傾き６０度の角度で形成され、急な立ち上がりの角４ｃが形成されるようにしている。このため、鋭い感触の刺激が得られて、足や白杖５で発見しやすい利点がある。また、元の側面３ｂより狭い接触面積で当たるため、足や白杖５の突っかかりがあっても軽く済み、使用者のつまづきなどによる転倒を起こしにくい利点がある。
【００２７】
室内用の視覚障害者誘導用の線状突起３では、歩きやすくする目的で、従来の規格より、突起の高さを低くした、例えば半分の高さ２.５mmほどにする設計もあって、杖先が当たる感触が小さくなって、発見されづらいという課題があった。しかし、本発明の突起４を適用すれば、容易に発見される。逆にいえば、本発明の突起４によって、さらに線状突起３の高さを下げて、歩きやすくすることも可能である。
【００２８】
［第２の実施の形態］
図２は、歩きやすい形状にした線状突起７に対して、本発明を適用した第２の実施の形態による線状突起６ａを、縦横３００ｍｍの線状突起の領域６に収めて、道路などに敷設する例を示す。
【００２９】
なお、図２に示す線状突起７の形状は、意匠登録第１５４０４１２号公報および意匠登録第１５４０４１３号公報に記載されている。
【００３０】
線状突起７は、従来の規格と同じ高さ５mmの線状突起と同様の１本を、従来の規格の間隔と同じまで広い幅７５ｍｍにして踏み足を安定させ、その上面に傾き４５度の溝を長手方向へ向けて２本設けて排水をよくし、形成された３本の突起のうち、左右の突起の角を丸めて、足を踏み入れる際の突っかかりを低減することによって、使用者（例えば、白杖５の使用者）が歩きやすくする考え方に基づいて設計される。線状突起７には、踏んだら端まで歩けるという使用目的がある。使用者が端まで来たら、次に続く縦横３００ｍｍの領域６に線状突起が有るか無いかで、端の存在が確定される。
【００３１】
第２の実施の形態の詳細を説明すると、線状突起７において、中央の突起７ａの左右に、溝７ｂを介して、左右の突起７ｃが形成され、その外側の角は、面取り部７ｃａによって丸められて、それら３本の突起の上を通じて、細い突起８が、長手方向と垂直に、等間隔に並べられる。
【００３２】
中央の突起７ａは、第１の実施の形態の線状突起３と比較すると、寸法は違うが、形状の考えは同様である。また、中央の突起７ａの溝７ｂ側とも、線状突起３と同様の形状なので、説明を省略する。
【００３３】
左右の突起７ｃに設けられた突起８の部分は、面取り部７ｃａ部分に位置する角部８ｂを介して、外側面８ｃから、上面８ａにかけて形成される。
【００３４】
第２の実施の形態による線状突起７は、面取り部７ｃａによって低くなった端の段差によって、足や白杖５を当てる感触が小さくなり、発見されづらかったが、杖先５ａが突起８に当たる感触によって、容易に発見される。
【００３５】
図２には、線状突起６ａを単独の誘導板にして、歩行面１に貼り付ける形式が示されているが、線状突起の領域６の形の台座と一体としたブロックにして、歩行面１に埋設することもできる。
【符号の説明】
【００３６】
１      歩行面
２      線状突起部
２ａ、２ｂ、２ｃ、２ｄ  線状突起
３      線状突起
３ａ    上面
３ｂ    側面
４      突起
４ａ    上面
４ｂ    側面
４ｃ    角
５      白杖
５ａ    杖先
６      領域
６ａ    線状突起
７      線状突起
７ａ    中央の突起
７ｂ    溝
７ｃ    左右の突起
７ｃａ  面取り部
８      突起
８ａ    上面
８ｂ    角部
８ｃ    外側面
Ｌ      誘導方向
Ｖ      軌跡
【要約】
【課題】視覚障害者誘導用の線状突起は、白杖の使用者によって、白杖でなでられても使用者の感触が薄く、使用者が、長手方向を知るには、時間がかかるとともに、確信を持てない不安がある。さらに、太さの違う杖先を付けた白杖では当たりが安定しない。
【解決手段】視覚障害者誘導用の線状突起３の表面に、上面４ａから左右の側面４ｂにかけての角４ｃを形成する突起４が設けられている。
【選択図】図１【図１】
0006629480.tif 000002
【図２】
0006629480.tif 000003